(57)【要約】【課題】  組み立てが簡単な扉を提供することを課題とする。【解決手段】本体と、扉と、上方枢接部材と、下方枢接部材と、滑動部材とを含み、本体は内部上面の一端に上方枢接孔を設けた上方レールと、底面横向きで上方枢接孔に対応する位置に下方枢接孔を設けた下方レールとを含み、扉が第一、二扉を有し、第一、二扉に隣接する側面が蝶番で接続し、第一扉が扉フレームの上面に上方レールに対する位置に軸孔を有し、扉フレームの底板には下方レールの下方枢接孔に対応する位置に設置孔が設けられ、第二扉が扉フレームの上面に軸孔を設け、上方枢接部材が軸桿で、本体の上方レールの上方枢接孔及び第一扉の軸孔を穿設し、本体及び第一扉に設けられ、下方枢接部材は一端が扉の第一扉の底面の設置孔に設けられ、他端が本体の下方レールの下方枢接孔に挿設され、本体及び第一扉を接続し、滑動部材は一端が第二扉の上面の軸孔に設けられ、他端が本体の上方レールに設けられる。【選択図】  図２
0003156797.tif 000002
【実用新案登録請求の範囲】
【請求項１】
本体と、扉と、上方枢接部材と、下方枢接部材と、滑動部材とを含んでなり、
該本体は内部上面に長手方向横向きに上方レールを有し、該上方レールの一端には上方枢接孔を有し、本体内部の底面には長手方向横向きに下方レールを有し、該下方レールが上方レールの上方枢接孔に対応する位置に下方枢接孔を有し、
該扉が、少なくとも第一、二扉を有し、該第一、二扉に隣接する側面が蝶番で滑動自在に接続し、第一扉が扉フレームの上面に上方レールに対する位置に軸孔を有し、扉フレームの底板には下方レールの下方枢接孔に対応する位置に設置孔を有し、第二扉が扉フレームの上面に軸孔を有し、
上方枢接部材が、軸桿で、本体の上方レールの上方枢接孔及び扉の第一扉の軸孔を穿設し、本体及び扉の第一扉に回動自在であり、
下方枢接部材は一端が扉の第一扉の底面の設置孔に設けられ、他端が本体の下方レールの下方枢接孔に挿設され、本体及び扉の第一扉を回動自在に接続し、
滑動部材は一端が第二扉の上面の軸孔に設けられ、他端が本体の上方レールに滑動自在に設けられることを特徴とする扉。
【請求項２】
前記第一扉が、扉フレームの上面に設置孔を有し、設置孔内に軸孔の接続ブロックを固定することを特徴とする請求項１に記載の扉。
【請求項３】
前記第二扉が、上面に設置孔を有し、設置孔内に軸孔の接続ブロックを固定することを特徴とする請求項１に記載の扉。
【請求項４】
前記滑動部材が、受け座内に伸縮自在の伸縮桿を有し、受け座が第二扉の接続ブロックの軸孔に固定することを特徴とする請求項３に記載の扉。
【請求項５】
前記扉がそれぞれ第一、二扉の内部に排列した通気用窓を有することを特徴とする請求項１に記載の窓。
【請求項６】
前記通気用窓が、窓フレームの内部に複数の羽を一体に成形してなり、窓フレームの上、底面それぞれに突縁部とフックとを有し、窓フレームの両側には突縁部とフックとを有することを特徴とする請求項５に記載の扉。
【請求項７】
前記下方枢接部材の一端が、接続ブロックを具えてなり、接続ブロックを第一扉の底面の設置孔に固定することを特徴とする請求項１に記載の扉。
【考案の詳細な説明】
【技術分野】
【０００１】
この考案は、扉であって、特に折り畳み式の扉に関する。
【背景技術】
【０００２】
折り畳み式の扉は、複数の扉を相互に回動自在に接続して組み合わせて形成する。
【０００３】
扉を開く場合、それぞれの扉を相互に折り畳んで、扉を開くための空間を節減することができる。
【０００４】
よって、折り畳み式の扉は、洋服ダンス、靴入れなどの家具に幅広く使用されている。
【０００５】
洋服ダンスの折り畳み式扉を見ると、該折り畳み式扉は、少なくとも二つ以上の扉を組み合わせて形成される。
【０００６】
二つの扉の隣接する側面は、蝶番で接続して組み合わせ、一つの扉は、固定された扉とする。
【０００７】
該固定した扉は、一方の側面を蝶番か、或いは回動自在に接続して洋服ダンス上に位置決めし、もう一方の側面は回動自在の扉とする。
【０００８】
該滑動自在の扉は、上方が滑動輪で洋服ダンス内部の上方に設けられたレールに吊るすように接続する。
【０００９】
外側に向けて引くと、滑動自在の扉が滑動して移動し、扉を閉めるか、或いは扉を折り畳み開く目的を達成することができる。
【００１０】
折り畳み式扉の固定する扉を組み合わせる作業は、洋服ダンスの上方面と底面とを別々に施工する。
【００１１】
しかしながら、該固定する扉の上面及び底面を洋服ダンスに回動自在に接続する場合、必ず一人が洋服ダンスを支持し、もう一人が扉を接続する作業を実施しなければならない。
【００１２】
このため、組み立てが容易ではなく、作業時間もかかり、生産効率が低下する。
【００１３】
また、滑動式の扉は、滑動輪で吊るす構造のため複雑で、組み合わせる作業上の不便さや、コストを増加させる。
【考案の開示】
【考案が解決しようとする課題】
【００１４】
この考案は、組み立てが簡単な扉を提供することを課題とする。
【課題を解決するための手段】
【００１５】
そこで、本考案者は従来の技術に見られる欠点に鑑みて鋭意研究を重ねた結果、本体と、扉と、上方枢接部材と、下方枢接部材と、滑動部材とを含んでなり、
該本体は内部上面に長手方向横向きに上方レールを有し、該上方レールの一端には上方枢接孔を有し、本体内部の底面には長手方向横向きに下方レールを有し、該下方レールが上方レールの上方枢接孔に対応する位置に下方枢接孔を有し、
該扉が、少なくとも第一、二扉を有し、該第一、二扉に隣接する側面が蝶番で滑動自在に接続し、第一扉が扉フレームの上面に上方レールに対する位置に軸孔を有し、扉フレームの底板には下方レールの下方枢接孔に対応する位置に設置孔を有し、第二扉が扉フレームの上面に軸孔を有し、
上方枢接部材が、軸桿で、本体の上方レールの上方枢接孔及び扉の第一扉の軸孔を穿設し、本体及び扉の第一扉に回動自在であり、
下方枢接部材は一端が扉の第一扉の底面の設置孔に設けられ、他端が本体の下方レールの下方枢接孔に挿設され、本体及び扉の第一扉を回動自在に接続し、
滑動部材は一端が第二扉の上面の軸孔に設けられ、他端が本体の上方レールに滑動自在に設けられる扉の構造によって課題を解決できる点に着眼し、かかる知見に基づいて本考案を完成させた。
【００１６】
以下、この考案について具体的に説明する。
請求項１に記載の扉は、本体と、扉と、上方枢接部材と、下方枢接部材と、滑動部材とを含んでなり、
該本体は内部上面に長手方向横向きに上方レールを有し、該上方レールの一端には上方枢接孔を有し、本体内部の底面には長手方向横向きに下方レールを有し、該下方レールが上方レールの上方枢接孔に対応する位置に下方枢接孔を有し、
該扉が、少なくとも第一、二扉を有し、該第一、二扉に隣接する側面が蝶番で滑動自在に接続し、第一扉が扉フレームの上面に上方レールに対する位置に軸孔を有し、扉フレームの底板には下方レールの下方枢接孔に対応する位置に設置孔を有し、第二扉が扉フレームの上面に軸孔を有し、
上方枢接部材が、軸桿で、本体の上方レールの上方枢接孔及び扉の第一扉の軸孔を穿設し、本体及び扉の第一扉に回動自在であり、
下方枢接部材は一端が扉の第一扉の底面の設置孔に設けられ、他端が本体の下方レールの下方枢接孔に挿設され、本体及び扉の第一扉を回動自在に接続し、
滑動部材は一端が第二扉の上面の軸孔に設けられ、他端が本体の上方レールに滑動自在に設けられる。
【００１７】
請求項２に記載の扉は、請求項１における第一扉が、扉フレームの上面に設置孔を有し、設置孔内に軸孔の接続ブロックを固定して設ける。
【００１８】
請求項３に記載の扉は、請求項１における第二扉が、上面に設置孔を有し、設置孔内に軸孔の接続ブロックを固定して設ける。
【００１９】
請求項４に記載の扉は、請求項３における滑動部材が、受け座内に伸縮自在の伸縮桿を有し、受け座が第二扉の接続ブロックの軸孔に固定して設けられる。
【００２０】
請求項５に記載の扉は、請求項１における扉がそれぞれ第一、二扉の内部に排列した通気用窓を設けてなる。
【００２１】
請求項６に記載の扉は、請求項５における通気用窓が、窓フレームの内部に複数の羽を一体に成形してなり、窓フレームの上、底面それぞれに突縁部とフックとを有し、窓フレームの両側には突縁部とフックとが設けられる。
【００２２】
請求項７に記載の扉は、請求項１における下方枢接部材の一端が、接続ブロックを具えてなり、接続ブロックを第一扉の底面の設置孔に固定することができる。
【考案の効果】
【００２３】
この考案による扉は、構造が簡単なため、コストを低減でき、作業時間を短縮できるという効果を有する。
【考案を実施するための最良の形態】
【００２４】
この考案は、組み立てが簡単な扉であって、本体と、扉と、上方枢接部材と、下方枢接部材と、滑動部材とを含んでなり、該本体は内部上面に長手方向横向きに上方レールを有し、該上方レールの一端には上方枢接孔を有し、本体内部の底面には長手方向横向きに下方レールを有し、該下方レールが上方レールの上方枢接孔に対応する位置に下方枢接孔を有し、該扉が、少なくとも第一、二扉を有し、該第一、二扉に隣接する側面が蝶番で滑動自在に接続し、第一扉が扉フレームの上面に上方レールに対する位置に軸孔を有し、扉フレームの底板には下方レールの下方枢接孔に対応する位置に設置孔を有し、第二扉が扉フレームの上面に軸孔を有し、上方枢接部材が、軸桿で、本体の上方レールの上方枢接孔及び扉の第一扉の軸孔を穿設し、本体及び扉の第一扉に回動自在であり、下方枢接部材は一端が扉の第一扉の底面の設置孔に設けられ、他端が本体の下方レールの下方枢接孔に挿設され、本体及び扉の第一扉を回動自在に接続し、滑動部材は一端が第二扉の上面の軸孔に設けられ、他端が本体の上方レールに滑動自在に設けられる扉の構造と特徴を詳述するために具体的な実施例を挙げ、図示を参照にして以下に説明する。
【実施例】
【００２５】
図１から図３に開示するように、洋服ダンスの本体１０は、物を収納するために供する設置空間を具えてなり、前面に二つの折り畳み式扉２０を設けて、本体１０を開閉するために供する。
【００２６】
該本体１０は、内部上面の長手方向横向きに上方レール１１が設けられ、該上方レール１１は、一端に上方枢接孔１１１が設けられる。
【００２７】
本体１０の内部底面には長手方向横向きに下方レール１２が設けられる。該下方レール１２は、上方レール１１の上方枢接孔１１１に対応する位置に下方枢接孔１２１を設けてなる。
【００２８】
折り畳み式の扉２０は、少なくとも第一、第二扉２１、２２を含んでなる。
【００２９】
該第一、二扉２１、２２は、隣接する側面が蝶番で回動自在に接続される。
【００３０】
該第一扉２１は、扉フレーム２１１の上面の上方レール１１の上方枢接孔１１１に対応する位置に軸孔が設けられる。
【００３１】
この考案の実施形態では、扉フレーム２１１の上面に設置孔２１２が設けられ、軸孔２１４の接続ブロック２１３を設けるために供する。
【００３２】
扉フレーム２１１の底面には下方レール１２の下方枢接孔１２１に対応する位置に設置孔２１５が設けられる。
【００３３】
第二扉２２は、扉フレーム２２１の上面に設置孔２２２が設けられ、軸孔２２４の接続ブロック２２３を設けるために供する。
【００３４】
また、第一、二扉２１、２２の内部には通気用窓２３が排列して設けられる。
【００３５】
第一扉２１の通気用窓２３を見ると、通気用窓２３は、窓フレーム２３１の内部に複数の羽２３２を一体に成形する。
【００３６】
窓フレーム２３１の上、底面にはそれぞれ突縁部２３３と、挿入孔２３４とを設けてなる。
【００３７】
窓フレーム２３１の両側には突縁部２３５とフック２３６が設けられる。
【００３８】
それぞれの通気用窓２３は、両側のフック２３６を利用して第一扉２１の扉フレーム２１１の後方面に係合して設ける。
【００３９】
よって、両側の突縁部２３５が扉フレーム２１１の前方面を当接し、通気用窓２３が第一扉２１の扉フレーム２１１内部に設けられる。
【００４０】
通気用窓２３はそれぞれ上、底面の突縁部２３３及び挿入孔２３４と相互に接続して組み合わせられる。
【００４１】
上方枢接部材３０は、軸桿からなる。また、下方枢接部材４０は、一端に接続ブロック４１を設けてなり、接続ブロック４１は第一扉２１底面の設置孔２１５に固定して設けられる。
【００４２】
滑動部材５０は、受け座５１の内部に伸縮自在の伸縮桿５２を設けてなり、受け座５１が第二扉２２の軸孔２２４に固定して設けられる。
【００４３】
図２から図４に開示するように、折り畳み式の扉２０を組み合わせる場合、下方枢接部材４０が第一扉２１の底面に設けられているため、下方枢接部材４０を直接本体１０の下方レール１２の下方枢接孔１２１に挿設することができる。
【００４４】
よって、第一扉２１の底面が下方レール１２に滑動自在に設けられる。
【００４５】
次に上方枢接部材３０を上方レール１１の上方枢接孔１１１に穿設し、第一扉２１の接続ブロック２１３の軸孔２１４に挿設する。
【００４６】
よって、第一扉２１の上面が上方レール１１に滑動自在に接続し、第一扉２１が上下枢接部材３０、４０を利用して、上下レール１１、１２間にすばやく滑動自在に接続され、回転して動かすことができる。
【００４７】
滑動部材５０が第二扉２２の上面に固定して設けられる。また、滑動部材５０の伸縮桿５２が受け座５１内で伸縮する。
【００４８】
伸縮桿５２を受け座５１内で下方に押し圧し、伸縮桿５２が上方レール１１に対応すると、伸縮桿５２が弾性で上方に突出して延伸し、上方レール１１に設けられる。
【００４９】
よって、第二扉２２が滑動部材５０により上方レール１１を長手方向横向きに移動して本体１０を開閉するために供する。
【００５０】
よって、この考案の組み立ては簡単で、扉２０を設けるための作業時間が短い。
【００５１】
また、扉２０を本体１０に便利ですばやく設けることができるともに、組み立ての効率及び作業上の便利性を高めることができる。２
【００５２】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００５３】
【図１】この考案の扉を本体に設けた状態を示した斜視図である。
【図２】この考案の扉と本体とを示した分解図である。
【図３】この考案の扉と本体を組み合わせた状態を示した平面図である。
【図４】この考案の扉を動かして使用状態を示した説明図である。
【符号の説明】
【００５４】
１０       本体
１１       上方レール
１１１     上方枢接孔
１２       下方レール
１２１     下方枢接孔
２０       扉
２１       第一扉
２１１     扉フレーム
２１２     設置孔
２１３     接続ブロック
２１４     軸孔
２１５     設置孔
２２       第二扉
２２１     扉フレーム
２２２     設置孔
２２３     接続ブロック
２２４     軸孔
２３       通気用窓
２３１     窓フレーム
２３２     羽
２３３     突縁部
２３４     挿入孔
２３５     突縁部
２３６     フック
３０       下方枢接部材
４０       下方枢接部材
４１       接続ブロック
５０       滑動部材
５１       受け座
５２       伸縮桿
【図１】
0003156797.tif 000003
【図２】
0003156797.tif 000004
【図３】
0003156797.tif 000005
【図４】
0003156797.tif 000006
【手続補正書】
【提出日】平成21年11月11日(2009.11.11)
【手続補正１】
【補正対象書類名】実用新案登録請求の範囲
【補正対象項目名】全文
【補正方法】変更
【補正の内容】
【実用新案登録請求の範囲】
【請求項１】
本体と、扉と、上方枢接部材と、下方枢接部材と、滑動部材とを含んでなり、
該本体は内部上面に長手方向横向きに上方レールを有し、該上方レールの一端には上方枢接孔を有し、本体内部の底面には長手方向横向きに下方レールを有し、該下方レールが上方レールの上方枢接孔に対応する位置に下方枢接孔を有し、
該扉が、少なくとも第一、二扉を有し、該第一、二扉に隣接する側面が蝶番で滑動自在に接続し、第一扉が扉フレームの上面に上方レールに対する位置に軸孔を有し、扉フレームの底板には下方レールの下方枢接孔に対応する位置に設置孔を有し、第二扉が扉フレームの上面に軸孔を有し、
上方枢接部材が、軸桿で、本体の上方レールの上方枢接孔及び扉の第一扉の軸孔を穿設し、本体及び扉の第一扉に回動自在であり、
下方枢接部材は一端が扉の第一扉の底面の設置孔に設けられ、他端が本体の下方レールの下方枢接孔に挿設され、本体及び扉の第一扉を回動自在に接続し、
滑動部材は一端が第二扉の上面の軸孔に設けられ、他端が本体の上方レールに滑動自在に設けられることを特徴とする扉。
【請求項２】
前記第一扉が、扉フレームの上面に設置孔を有し、設置孔内に軸孔の接続ブロックを固定することを特徴とする請求項１に記載の扉。
【請求項３】
前記第二扉が、上面に設置孔を有し、設置孔内に軸孔の接続ブロックを固定することを特徴とする請求項１に記載の扉。
【請求項４】
前記滑動部材が、受け座内に伸縮自在の伸縮桿を有し、受け座が第二扉の接続ブロックの軸孔に固定することを特徴とする請求項３に記載の扉。
【請求項５】
前記扉がそれぞれ第一、二扉の内部に排列した通気用窓を有することを特徴とする請求項１に記載の扉。
【請求項６】
前記通気用窓が、窓フレームの内部に複数の羽を一体に成形してなり、窓フレームの上、底面それぞれに突縁部とフックとを有し、窓フレームの両側には突縁部とフックとを有することを特徴とする請求項５に記載の扉。
【請求項７】
前記下方枢接部材の一端が、接続ブロックを具えてなり、接続ブロックを第一扉の底面の設置孔に固定することを特徴とする請求項１に記載の扉。